(57)【要約】【課題】  送塵口を介して、扱室と処理室を連通させた脱穀装置において、送塵口に入りきらなかった処理物によって、扱胴の負荷が増大することを防止する。【解決手段】  扱胴４を回転自在に内装した扱室２の側方に、処理胴９を回転自在に内装した処理室８を配置すると共に、扱室２の後側と処理室８を、送塵口７を介して連通させた脱穀装置１であって、扱室２における送塵口７の扱胴回転方向下手側近傍に、長藁を切断処理する藁切り刃２８を設ける。  また、扱室２を送塵口７の後方まで延長して刺さり粒処理部２ｃを構成するにあたり、この刺さり粒処理部２ｃに、長藁を切断処理する藁切り刃２９を設ける。【選択図】        図３
2005185106.tif 000002
【特許請求の範囲】
【請求項１】
扱胴を回転自在に内装した扱室の側方に、処理胴を回転自在に内装した処理室を配置すると共に、前記扱室の後側と前記処理室を、送塵口を介して連通させた脱穀装置であって、
前記扱室における前記送塵口の扱胴回転方向下手側近傍に、長藁を切断処理する藁切り刃を設けたことを特徴とする脱穀装置。
【請求項２】
前記藁切り刃は、前記扱室内で処理物の流れをガイドする処理物ガイドの扱胴回転方向上手側に設けられることを特徴とする請求項１記載の脱穀装置。
【請求項３】
扱胴を回転自在に内装した扱室の側方に、処理胴を回転自在に内装した処理室を配置すると共に、前記扱室の後側と前記処理室を、送塵口を介して連通させた脱穀装置であって、
前記扱室を前記送塵口の後方まで延長して刺さり粒処理部を構成するにあたり、該刺さり粒処理部に、長藁を切断処理する藁切り刃を設けたことを特徴とする脱穀装置。
【発明の詳細な説明】
【技術分野】
【０００１】
本発明は、扱室及び処理室を備えるコンバイン、ハーベスタなどの脱穀装置に関する。
【背景技術】
【０００２】
扱胴を回転自在に内装した扱室の側方に、処理胴を回転自在に内装した処理室を配置すると共に、前記扱室の後側と前記処理室を、送塵口を介して連通させた脱穀装置が知られている（例えば、特許文献１参照。）。
【０００３】
この種の脱穀装置では、扱室の終端まで達した処理物を、扱室内で循環させることなく、処理室に送って処理することができるため、扱胴の負荷を軽減できるだけでなく、処理物に含まれる穀粒の単粒化を促進することができる。
【特許文献１】特開２０００−３４２０５２号公報
【発明の開示】
【発明が解決しようとする課題】
【０００４】
しかしながら、特許文献１に示されるような脱穀装置では、扱室の終端まで達した処理物が送塵口に入りきらなかった場合、入りきらなかった処理物が扱室の後端部で滞留するため、処理物が扱室内を循環して扱胴の負荷を増加させるだけでなく、滞留している処理物が固まりとなって揺動選別体上に落下し、選別精度を低下させる可能性がある。
【０００５】
また、脱穀装置のなかには、扱室を送塵口の後方まで延長して刺さり粒処理部を構成し、ここで搬送茎稈に刺さった刺さり粒を落下させるようにしたものが知られているが、送塵口に入りきらなかった処理物が刺さり粒処理部に到達すると、ここで処理物が滞留して扱胴の負荷を増加させる可能性がある。
【課題を解決するための手段】
【０００６】
本発明は、上記の如き実情に鑑みこれらの課題を解決することを目的として創作されたものであり、扱胴を回転自在に内装した扱室の側方に、処理胴を回転自在に内装した処理室を配置すると共に、前記扱室の後側と前記処理室を、送塵口を介して連通させた脱穀装置であって、前記扱室における前記送塵口の扱胴回転方向下手側近傍に、長藁を切断処理する藁切り刃を設けたことを特徴とする。
このようにすると、送塵口に入りきらなかった処理物が、その直後に藁切り刃で切断されることになるため、扱胴の負荷を軽減して脱穀性能を向上させることができるだけでなく、処理物が固まりとなって揺動選別体上に落下するような不都合も解消することができる。
また、前記藁切り刃は、前記扱室内で処理物の流れをガイドする処理物ガイドの扱胴回転方向上手側に設けられることを特徴とする。
このようにすると、送塵口に入りきらなかった処理物は、藁切り刃で切断処理されてから処理物ガイドのガイド作用を受けることになるので、処理物ガイドのガイド作用を受けやすくし、脱穀性能の向上を図ることが可能になる。
また、扱胴を回転自在に内装した扱室の側方に、処理胴を回転自在に内装した処理室を配置すると共に、前記扱室の後側と前記処理室を、送塵口を介して連通させた脱穀装置であって、前記扱室を前記送塵口の後方まで延長して刺さり粒処理部を構成するにあたり、該刺さり粒処理部に、長藁を切断処理する藁切り刃を設けたことを特徴とする。
このようにすると、送塵口に入りきらなかった処理物が刺さり粒処理部に到達しても、この処理物が藁切り刃で切断されるため、刺さり粒処理部に処理物が滞留することを防止し、扱胴の負荷を軽減することができる。
【発明を実施するための最良の形態】
【０００７】
次に、本発明の実施形態を図面に基づいて説明する。図面において、１は脱穀装置であって、該脱穀装置１は、茎稈を扱室２に沿って挟持搬送する脱穀フィードチェン３と、扱室２に回転自在に内装され、搬送茎稈から穀粒を脱穀する扱胴４と、扱胴４の下側外周に沿って設けられ、扱胴４で脱穀された穀粒を選別室５に漏下させる受網６と、扱室２の側方に設けられ、送塵口７を介して扱室２の後部と連通される処理室８と、処理室８に回転自在に内装され、扱室２から処理室８に流入した処理物を単粒化処理する処理胴９と、処理胴９の外周に沿って設けられ、処理胴９で単粒化された穀粒を選別室５に漏下させる受網１０と、選別室５に設けられる揺動選別体１１と、揺動選別体１１から漏下する穀粒を風選別する第一選別ファン１２と、一番物を収容する一番ラセン１３と、一番物を穀粒タンク１４へ揚上搬送する揚上搬送筒１５と、二番物を風選別する第二選別ファン１６と、二番物を収容する二番ラセン１７と、二番物を揺動選別体１１上へ還元する二番還元筒１８と、切れ藁や塵埃を排出する排塵ファン１９と、脱穀済みの排藁を搬送する排藁チェン２０と、排藁を切断処理するカッター２１とを備えて構成されている。
【０００８】
扱室２の下半部は、扱室フレーム２２によって形成され、扱室２の上半部は、開閉自在な扱室カバー２３によって形成されている。扱室フレーム２２と扱室カバー２３と間には、茎稈供給口２４が形成されており、この茎稈供給口２４を介して、搬送茎稈の穂先側が扱室２内に供給される。扱胴４は、外周面に多数の扱歯４ａを有し、この扱歯４ａで搬送茎稈から穀粒を脱粒させる。本実施形態の扱胴４は所謂下扱ぎ式であり、茎稈供給口２４から供給される搬送茎稈を受網６側へ導きながら、扱歯４ａを搬送茎稈に作用させる。
【０００９】
扱室２は、前側から順に、脱穀処理部２ａ、送塵処理部２ｂ及び刺さり粒処理部２ｃを構成している。脱穀処理部２ａは、通常の脱穀処理を行う部分であり、ここで扱き下ろされた穀粒は受網６を介して選別室５に漏下される。送塵処理部２ｂは、受網６から漏下せずに扱室２の後部まで達した穂付き粒、藁屑などの処理物を、送塵口７を介して処理室８へ送る部分である。送塵口７は、扱室２の奥側（茎稈供給口２４の反対側）に形成され、処理室８の前部に連通している。刺さり粒処理部２ｃは、搬送茎稈に刺さった刺さり粒を扱歯４ａで落下させる部分であり、扱室２を送塵口７の後方まで延長して構成されている。尚、本発明は、送塵口７が処理室８の中間部や後部に連通するものであっても、問題なく実施することができる。
【００１０】
また、扱室２の内周部には、仕切板６ａ、２５、処理物ガイド２６及び藁切り刃２７、２８、２９が設けられている。仕切板６ａ、２５は、扱室フレーム２２側に、扱胴４の回転方向に沿って立設される円弧状の板材であり、扱室２内で軸方向に流れる処理物に適度な抵抗を与えることにより、処理作用を高めている。本実施形態では、受網６の全域及び送塵口７の前後両側に仕切板６ａ、２５を立設してある。
【００１１】
処理物ガイド２６は、扱室カバー２３側に立設される円弧状の板材であり、扱胴４の回転方向に対して傾斜するように立設されている。つまり、処理物ガイド２６は、扱室２内において処理物の流れを積極的にガイドするために設けられており、傾斜方向及び傾斜角によって処理物の流れがコントロールされる。本実施形態の脱穀装置１は、少なくとも送塵処理部２ｂに処理物ガイド２６を備えており、この処理物ガイド２６によって処理物を戻し方向へガイドしている。これにより、処理物が刺さり粒処理部２ｃに流れることが抑制される。
【００１２】
藁切り刃２７、２８、２９は、扱室２内を循環する長藁を切断するために扱室２の内周部に設けられている。従来の脱穀装置１では、脱穀処理部２ａにのみ藁切り刃２７が設けられるが、本発明においては、送塵処理部２ｂ及び刺さり粒処理部２ｃにも藁切り刃２８、２９が設けられる。
【００１３】
送塵処理部２ｂの藁切り刃２８は、扱室２における送塵口７の扱胴回転方向下手側近傍に設けられている。この位置に藁切り刃２８を設けると、送塵口７に入りきらなかった処理物が、その直後に藁切り刃２８で切断されることになる。これにより、扱胴４の負荷を軽減して脱穀性能を向上させることができるだけでなく、処理物が固まりとなって揺動選別体１１上に落下するような不都合も解消することが可能になる。
【００１４】
また、藁切り刃２８は、処理物ガイド２６の扱胴回転方向上手側に位置しており、送塵口７に入りきらなかった処理物は、藁切り刃２８で切断処理されてから処理物ガイド２６のガイド作用を受けることになる。これにより、処理物ガイド２６のガイド作用を受けやすくし、脱穀性能の向上を図ることが可能になる。
【００１５】
また、刺さり粒処理部２ｃの藁切り刃２９は、送塵処理部２ｂの藁切り刃２８から後方へ連続するように設けられている。このように設けられた藁切り刃２９は、送塵口７に入りきらずに刺さり粒処理部２ｃに到達した処理物を切断処理するので、刺さり粒処理部２ｃに処理物が滞留することを防止し、扱胴４の負荷を軽減することができる。
【００１６】
叙述の如く構成された本実施形態の脱穀装置１は、扱胴４を回転自在に内装した扱室２の側方に、処理胴９を回転自在に内装した処理室８を配置すると共に、扱室２の後側と処理室８を、送塵口７を介して連通させた脱穀装置１であって、扱室２における送塵口７の扱胴回転方向下手側近傍に、長藁を切断処理する藁切り刃２８を設けたので、送塵口７に入りきらなかった処理物を、その直後に藁切り刃２８で切断することができ、その結果、扱胴４の負荷を軽減して脱穀性能を向上させることができるだけでなく、処理物が固まりとなって揺動選別体１１上に落下するような不都合も解消することができる。
【００１７】
また、上記の藁切り刃２８は、扱室２内で処理物の流れをガイドする処理物ガイド２６の扱胴回転方向上手側に設けられるため、送塵口７に入りきらなかった処理物は、藁切り刃２８で切断処理されてから処理物ガイド２６のガイド作用を受けることになり、その結果、処理物ガイド２６のガイド作用を受けやすくし、脱穀性能の向上を図ることができる。
【００１８】
また、扱室２を送塵口７の後方まで延長して刺さり粒処理部２ｃを構成するにあたり、この刺さり粒処理部２ｃに、長藁を切断処理する藁切り刃２９を設けたので、送塵口７に入りきらなかった処理物が刺さり粒処理部２ｃに到達しても、この処理物を藁切り刃２９で切断することが可能になる。これにより、刺さり粒処理部２ｃに処理物が滞留することを防止し、扱胴４の負荷を軽減することができる。
【図面の簡単な説明】
【００１９】
【図１】脱穀装置の内部側面図である。
【図２】扱室及び処理室の斜視図である。
【図３】扱室及び処理室の横断面図である。
【図４】扱室及び処理室の縦断面図である。
【符号の説明】
【００２０】
１    脱穀装置
２    扱室
２ａ  脱穀処理部
２ｂ  送塵処理部
２ｃ  刺さり粒処理部
４    扱胴
５    選別室
７    送塵口
８    処理室
９    処理胴
２２  扱室フレーム
２３  扱室カバー
２４  茎稈供給口
２６  処理物ガイド
２７  藁切り刃
２８  藁切り刃
２９  藁切り刃
【図１】
2005185106.tif 000003
【図２】
2005185106.tif 000004
【図３】
2005185106.tif 000005
【図４】
2005185106.tif 000006